(57)【要約】【課題】  高性能で輝度が均一な光源を具え、広告ランプシートの交換が容易な薄型広告ランプボックスの提供。【解決手段】  ランプボックスは、開閉可能な上フレームを具えて広告ランプシートの交換と組付け維持が容易である外フレームシートと、該外フレームシート内に取り付けられてバックライト、ランプセット、及び光面板を具えて広告ランプシートの表示のための光源を提供する光源モジュールと、外フレームシートの対向する上側と下側に取り付けられて光源モジュールの作業電源と制御を行なう変圧器と電圧コントローラと、光源モジュールの上方に簡単に嵌め込んで位置決めでき、光源モジュールを挟持固定し、並びに光源モジュールの光面板に緊密に押し当てられた押し片と、を具えている。【選択図】        図１
0003105075.tif 000002
【実用新案登録請求の範囲】
【請求項１】
薄型広告ランプボックスにおいて、
開閉可能なフレームロッド、フレームロッドで囲まれて成る組付け空間を具えた外フレームシートと、
該外フレームシートの組付け空間内に組付けられる光源モジュールと、
該外フレームシート内の対向辺のフレームロッド中に取り付けられる変圧器と電圧コントローラと、
該光源モジュールの上表面を制圧するように嵌め止めされた押し片と、
を具えたことを特徴とする、薄型広告ランプボックス。
【請求項２】
請求項１記載の薄型広告ランプボックスにおいて、外フレームシートのフレームロッドが下フレームシートと下フレームシートと結合されて開閉自在である上フレームシートを具え、該上フレームシートと下フレームシートの間に框形の組付け空間が形成されたことを特徴とする、薄型広告ランプボックス。
【請求項３】
請求項１記載の薄型広告ランプボックスにおいて、光源モジュールが下から上に、底板、反射板、複数の間隔配列された発光装置、光面板を具えたことを特徴とする、薄型広告ランプボックス。
【請求項４】
請求項３記載の薄型広告ランプボックスにおいて、光源モジュールの光面板のそのうち一つの短側辺が複数の弾性挟持具で挟持されたことを特徴とする、薄型広告ランプボックス。
【請求項５】
請求項１記載の薄型広告ランプボックスにおいて、押し片の一方の短側辺に複数の位置決め凹口が開設され、別に二つの長側辺に複数の凹部が開設されたことを特徴とする、薄型広告ランプボックス。
【考案の詳細な説明】
【技術分野】
【０００１】
本考案は一種の広告ランプボックスモジュール化の構造に係り、広告ランプボックスの技術領域に関係し、一種の薄型光源モジュール及び開閉可能なフレームカバーを具えた外フレームシートで組成され、薄型化されて場所をとらず、広告ランプシートの交換に便利で修理しやすい広告ランプボックスの構造に関する。
【背景技術】
【０００２】
広告ランプボックスは光源の投射により宣伝効果を有する広告ランプシート内容を周辺に展示し、大衆に対する宣伝効果を達成するものである。周知の広告ランプボックスは、外フレームを具え、その内部に広告ランプボックスの光源として複数の蛍光灯が設置され、外フレームの片側或いは両側のフレームの表面にカバー板が設けられ、並びに広告ランプシートが貼り付けの方式でカバー板後ろ表面に結合され、さらに後方の光源より光が広告ランプシートに投射されて、広告ランプシートの内容がランプボックス外観に表現される。
【０００３】
上述の広告ランプボックスの構造は、広告ランプボックスの光源に伝統的な蛍光灯が採用されているため、その体積が大きく且つ比較的高い温度を発生しやすい。ゆえに、広告ランプシートと蛍光灯に一定の距離を保持させなければならず、そのために広告ランプボックスの体積が更に大きくなり、且つ重くなる。更に、蛍光灯はある時間使用するとちらつきの状況を発生し且つ使用寿命も長くなく、これらはいずれも広告ランプボックスの維持のコストを増す。これを鑑み、一部の改良された設計によると、蛍光灯の代わりに寿命が長くちらつきのない陰極線管を採用し、更に陰極線管を広告ランプボックスの両側に設置して側方向より投光するようにし、光源体積を縮小して広告ランプボックスの体積を小さくできるようにしている。しかし、このような設計は、光源を直接広告ランプシートに投射しないために、その提供する輝度は広告ランプシートの内容を有効に展示できず、特にこの問題は広告ランプシートの中央になるほど厳重となる。このほか、上述の陰極線管を光源とする広告ランプボックスは既存のランプの配置様式を援用しており、即ち、ランプ、導光板等の部品がそれぞれ外フレーム中に固定されている。しかし、このような方法は修理時に過多の部品を取り外さねばならないため時間がかかり、脆弱な陰極線管も十分に保護されない。
【考案の開示】
【考案が解決しようとする課題】
【０００４】
本考案の目的は、周知の蛍光灯を光源とする広告ランプボックスの体積が大きく重いという欠点を解決することにある。
本考案の別の目的は、周知の陰極線管を光源とする広告ランプボックスの輝度が不均一で部品の交換に不便である問題を解決することにある。
【課題を解決するための手段】
【０００５】
請求項１の考案は、薄型広告ランプボックスにおいて、
開閉可能なフレームロッド、フレームロッドで囲まれて成る組付け空間を具えた外フレームシートと、
該外フレームシートの組付け空間内に組付けられる光源モジュールと、
該外フレームシート内の対向辺のフレームロッド中に取り付けられる変圧器と電圧コントローラと、
該光源モジュールの上表面を制圧するように嵌め止めされた押し片と、
を具えたことを特徴とする、薄型広告ランプボックスとしている。
請求項２の考案は、請求項１記載の薄型広告ランプボックスにおいて、外フレームシートのフレームロッドが下フレームシートと下フレームシートと結合されて開閉自在である上フレームシートを具え、該上フレームシートと下フレームシートの間に框形の組付け空間が形成されたことを特徴とする、薄型広告ランプボックスとしている。
請求項３の考案は、請求項１記載の薄型広告ランプボックスにおいて、光源モジュールが下から上に、底板、反射板、複数の間隔配列された発光装置、光面板を具えたことを特徴とする、薄型広告ランプボックスとしている。
請求項４の考案は、請求項３記載の薄型広告ランプボックスにおいて、光源モジュールの光面板のそのうち一つの短側辺が複数の弾性挟持具で挟持されたことを特徴とする、薄型広告ランプボックスとしている。
請求項５の考案は、請求項１記載の薄型広告ランプボックスにおいて、押し片の一方の短側辺に複数の位置決め凹口が開設され、別に二つの長側辺に複数の凹部が開設されたことを特徴とする、薄型広告ランプボックスとしている。
【考案の効果】
【０００６】
本考案は、周知の蛍光灯を光源とする広告ランプボックスの体積が大きく重いという欠点を解決し、また、周知の陰極線管を光源とする広告ランプボックスの輝度が不均一で部品の交換に不便である問題を解決している。
【考案を実施するための最良の形態】
【０００７】
本考案は陰極線管を投射光源としモジュール化した機構設計により、広告ランプボックスの体積を薄型とする。更に本考案は陰極線管を直接広告ランプシートの下方に設置しさらにモジュール化した機構設計を組み合わせることで広告ランプシートの受光面積を均一とし、輝度を一致させ、光源を保護し及び修理の時間を短縮する。本考案の薄型広告ランプボックスの構造は、開閉可能な上フレームを具えて広告ランプシートの交換と組付け維持が容易である外フレームシートと、該外フレームシート内に取り付けられてバックライト、ランプセット、及び光面板を具えて広告ランプシートの表示のための光源を提供する光源モジュールと、外フレームシートの対向する上側と下側に取り付けられて光源モジュールの作業電源と制御を行なう変圧器と電圧コントローラと、光源モジュールの上方に簡単に嵌め込んで位置決めでき、光源モジュールを挟持固定し、並びに光源モジュールの光面板に緊密に押し当てられた押し片と、を具えている。
【０００８】
上述の外フレームシートは本考案中でモジュール化され、光源モジュール、変圧器及び電圧コントローラが整合され、これにより本考案は組立修理が更に便利とされ、光源に安全な保護を提供できる。
【実施例１】
【０００９】
図１から図２は本考案の具体的実施構造を示す。図から分かるように、本実施例の薄型広告ランプボックスは光源モジュール２、変圧器３及び電圧コントローラ４を収容できる外フレームシート１を具え、それはモジュール化設計を採用し、取り付けられる部品或いは装置を提供できる。光源モジュール２は、変圧器３及び電圧コントローラ４の制御を受け、広告ランプボックスの広告ランプシートが必要とする光源を提供する。及び光源モジュール２の上表面に広告ランプシートを制圧する押し片５が設けられている。
【００１０】
該外フレームシート１は、四片のフレームロッド１１が対応するよう結合されてなる框形構造とされ、該フレームロッド１１は図１に示される実施例によると、下フレームシート１３と下フレームシート１３に開閉自在に組み合わされる上フレームシート１４を具え、更に上フレームシート１４と下フレームシート１３の間の框形の組付け空間１２を具えている。該上フレームシート１４は開閉自在の構造とされ、光源モジュール２、変圧器３及び電圧コントローラ４の外フレームシート１の組付け空間１２中への組付けに便利であり、これにより修理の便利性が増されている。開閉可能な構造は広告ランプシートの交換作業にも便利である。
【００１１】
前述の外フレームシート１の組付け空間１２内に取り付けられる光源モジュール２は、図１及び図３に示されるように、底板２３の四辺に嵌合される一対の長フレーム２１と短フレーム２２を具えている。該底板２３の上層に反射板２５が設置され、更に上層に複数の体積が小さい例えば陰極線管のような発光装置２４が設置され、発光装置２４の下方の反射板２５により発光装置２４の光線が効果的に反射されて高効率で且つ輝度が均一な光源が獲得される。光面板２６は、ネジ２８のような固定部品により、その長辺が前述の長フレーム２１に固定され、光面板２６のそのうちの一つの短辺に複数の弾性挟持具２７が設けられ、広告ランプシート６の急速嵌止位置決めを提供し、これは図４に示されるとおりである。
【００１２】
前述の光源モジュール２の運転に必要な作業電源とオンオフ制御操作は、変圧器３及び電圧コントローラ４の電気的接続により提供され、該変圧器３と電圧コントローラ４は同様に前述の外フレームシート１の提供する組付け空間１２内に固定され、図１に示されるようであり、並びに外フレームシート１の框側位置に取り付けられた接続端４１により外部電源と接続され、スイッチ４２がオンオフ運転の操作用に設けられ、図２に示されるようである。スイッチ４２はリモートコントロール操作モードの受信端とされうる。
【００１３】
押し片５は、広告ランプシート６の内容を光源を通して表示させられる透明薄片とされ、その短い周辺に間隔を以て複数の位置決め凹口５０が設けられて、光源モジュール２の光面板２６の端側に設けられた複数の弾性挟持具２７と相互に嵌合位置決めされる。また、対向する二つの長辺に複数の凹部５１が設けられ、押し片５が光源モジュール２の上を被覆する時、該凹部５１が光源モジュール２の長側周囲のネジ２８に嵌合されることにより、位置決めされる。また、広告ランプシートを押し片５と光面板２６の間に予め位置決めできる。
【００１４】
本考案の広告ランプボックスは、前述の各部品の結合下で、薄型広告ランプボックスを構成する。この構造において、光源モジュール２の例えば冷陰極線管とされる発光装置２４は、直接複数が光面板２６の下方に配列され、これによりランプボックスに均一で且つ高輝度の光源が提供され、完全に周知の蛍光灯式の広告ランプボックスの明暗の現象が解決され、且つ比較的長い使用寿命を提供できる。さらに、該広告ランプボックスは十分にモジュール化された設計であり、広告ランプシートの交換或いは光源モジュール２及び変圧器３、電圧コントローラ４の維持のいずれにも相当に便利であり、外フレームシート１の各上フレームシート１４を上向きに回転させる操作により、外フレームシート１の組付け空間１２を全て開放して部品の修理或いは交換を行なうことができる。広告ランプシートの交換は、光源モジュール２を移動させる必要がない状況で、押し片５を取り外して広告ランプシート６を弾性挟持具２７より引き出せば、簡単に広告ランプシート６の交換を行なうことができる。その後、取り外しと反対の順序の操作を行ない、新たな広告ランプシートを弾性挟持具２７中に挟持させ、更に押し片５で広告ランプシート６を圧迫、被覆し、並びに初期の位置決めを行ない、最後に上フレームシート１４をもとの位置に戻せば、広告ランプシート６の交換が行なえる。この間に工具を全く使用する必要がなく、且つ上述の操作中、広告ランプシートを弾性挟持具２７で予め挟持できるため、広告ランプボックスが立った状態で、広告ランプシートを脱落させないで交換作業を行なうことができる。
【００１５】
総合すると、本考案の提供する薄型広告ランプボックスは、周知の広告ランプボックスの多くの欠点を改善する能力を有している。ただし、ここに提供する実施例は本考案を説明するために提示されたものであり、本考案の請求範囲を限定するものではなく、本考案に基づきなしうる細部の修飾或いは改変は、いずれも本考案の請求範囲に属するものとする。
【図面の簡単な説明】
【００１６】
【図１】本考案の立体分解図である。
【図２】本考案の組合せ立体図である。
【図３】本考案の光源モジュールの立体分解図である。
【図４】本考案の光面板の弾性挟持具と広告ランプシートのスライド嵌め込み式の位置決め表示図である。
【符号の説明】
【００１７】
１  外フレームシート          ２  光源モジュール
３  変圧器                    ４  電圧コントローラ
５  押し片                    １１  フレームロッド
１２  組付け空間              １３  下フレームシート
１４  上フレームシート        ２１  長フレーム
２２  短フレーム              ２３  底板
２４  発光装置                ２５  反射板
２６  光面板                  ２７  弾性挟持具
２８  ネジ                    ４１  接続端
４２  スイッチ                ５０  位置決め凹口
５１  凹部
【図１】
0003105075.tif 000003
【図２】
0003105075.tif 000004
【図３】
0003105075.tif 000005
【図４】
0003105075.tif 000006